(57)【要約】【課題】脱臭機能部を有する温水洗浄便座装置において、低コスト化を図ることを目的とする。【解決手段】便鉢部２ｂを有する腰掛式便器２に取り付けられ、脱臭機能部４０を収納するケーシング１１を備えている温水洗浄便座装置１において、脱臭機能部４０は、便鉢部２ｂ内の空気を吸入する吸気部４１ｃと、吸気部４１ｃから脱臭機能部４０内に便鉢部２ｂ内の空気を吸入する吸入ファン４３と、吸気部４１ｃから吸入された便鉢部２ｂ内の空気における臭気を除去する脱臭部４４と、を備え、ケーシング１１は、ケーシング１１内と便鉢部２ｂ内とを連通するように便鉢部２ｂ内に向けて開口し、便鉢部２ｂ内の空気をケーシング１１内に吸入する開口部１１ｂ３と、ケーシング１１に一体に形成され、開口部１１ｂ３と吸気部４１ｃとを接続し、便鉢部２ｂ内の空気を流通させる管状の吸気ダクト５０と、を備えている。【選択図】図４
2016148187.tif 000002
【特許請求の範囲】
【請求項１】
便鉢部を有する便器に取り付けられ、便座を保持するとともに、人体の局部を洗浄する洗浄機能部および前記便鉢部内の空気の臭気を除去する脱臭機能部を収納するケーシングを備えている温水洗浄便座装置であって、
前記脱臭機能部は、
前記便鉢部内の前記空気を吸入する吸気部と、
前記吸気部から前記脱臭機能部内に前記便鉢部内の前記空気を吸入する吸入ファンと、
前記吸気部から吸入された前記便鉢部内の前記空気における臭気を除去する脱臭部と、を備え、
前記ケーシングは、
前記ケーシング内と前記便鉢部内とを連通するように前記便鉢部内に向けて開口し、前記便鉢部内の前記空気を前記ケーシング内に吸入する開口部と、
前記ケーシングに一体に形成され、前記開口部と前記吸気部とを接続し、前記便鉢部内の前記空気を流通させる管状の第一ダクト部と、を備えている温水洗浄便座装置。
【請求項２】
前記ケーシングは、上方を覆うとともに底部を開放する第一ケーシング、および、前記第一ケーシングの前記底部を塞ぐ底壁を有するように形成された第二ケーシングを備え、
前記第一ダクト部は、前記第二ケーシングの前記底壁、前記第一ケーシングにおける前記底壁に対向する天壁、並びに、前記第一ケーシングおよび前記第二ケーシングの少なくとも一方に形成された側壁によって形成されている請求項１記載の温水洗浄便座装置。
【請求項３】
前記脱臭機能部は、前記脱臭部によって前記臭気が除去された前記便鉢部内の前記空気を排出する排気部、および前記吸気部が形成され、前記吸入ファンおよび前記脱臭部を収納するとともに、前記便鉢部内の前記空気を流通させる管状の第二ダクト部と、をさらに備え、
前記脱臭部は、前記臭気を吸着する脱臭触媒によって形成され、前記第二ダクト部の内面に対して気密性を有するように取り付けられている請求項１または請求項２記載の温水洗浄便座装置。
【発明の詳細な説明】
【技術分野】
【０００１】
本発明は、温水洗浄便座装置に関し、特に脱臭機能部を有する温水洗浄便座装置に関する。
【背景技術】
【０００２】
温水洗浄便座装置の一形式として、特許文献１に示されているものが知られている。特許文献１の図２に示されているように、温水洗浄便座装置１は、便器内に発生する臭気を脱臭する脱臭装置２を、外郭ケース１０内に備えている。脱臭装置２は、脱臭ファン７によって吸気口１９から便器内の空気を吸気し、吸気した空気の臭気を脱臭カートリッジ９により脱臭する。脱臭カートリッジ９は、脱臭触媒および脱臭触媒を保護するガード部材３０を含んで構成されている。また、脱臭装置２は、吸入した空気を流通させる通路を形成する脱臭ダクト５０をさらに備えている。脱臭ダクト５０は、吸気口１９と接続する吸気ダクト１４、脱臭ファン７を収納する脱臭ファンダクト１３および脱臭カートリッジ９を収納する排気ダクト１２を備えている。
【先行技術文献】
【特許文献】
【０００３】
【特許文献１】特許４２９３８３２号公報
【発明の概要】
【発明が解決しようとする課題】
【０００４】
しかしながら、特許文献１の温水洗浄便座装置１の脱臭装置２においては、便器内の空気の通路を形成するために脱臭ダクト５０が複数の部材によって構成されているため、部品点数が比較的多い。また、例えば、吸気ダクト１４を構成しない場合において、脱臭ファンダクト１３と吸気口１９とを接続したときには、脱臭ファンダクト１３の大型化を招く。部品点数が多い場合や部材が大きい場合、脱臭装置ひいては温水洗浄便座装置の高コスト化を招く。一方、温水洗浄便座装置において、低コスト化の要請がある。
【０００５】
そこで、本発明は、上述した問題を解消するためになされたもので、脱臭機能部を有する温水洗浄便座装置において、低コスト化を図ることを目的とする。
【課題を解決するための手段】
【０００６】
上記の課題を解決するため、請求項１に係る温水洗浄便座装置は、便鉢部を有する便器に取り付けられ、便座を保持するとともに、人体の局部を洗浄する洗浄機能部および便鉢部内の空気の臭気を除去する脱臭機能部を収納するケーシングを備えている温水洗浄便座装置であって、脱臭機能部は、便鉢部内の空気を吸入する吸気部と、吸気部から脱臭機能部内に便鉢部内の空気を吸入する吸入ファンと、吸気部から吸入された便鉢部内の空気における臭気を除去する脱臭部と、を備え、ケーシングは、ケーシング内と便鉢部内とを連通するように便鉢部内に向けて開口し、便鉢部内の空気をケーシング内に吸入する開口部と、ケーシングに一体に形成され、開口部と吸気部とを接続し、便鉢部内の空気を流通させる管状の第一ダクト部と、を備えている。
【発明の効果】
【０００７】
これによれば、ケーシングに一体に形成されている第一ダクト部が、便鉢部内の空気を開口部と吸気部との間に流通させる。よって、従来技術のように、開口部と吸気部との間のダクト部をケーシングとは別の部材によって構成する場合に比べて、部品点数を少なくすることができる。よって、従来技術の温水洗浄便座装置に比べて、部品点数を少なくすることができるため、温水洗浄便座装置の低コストを図ることができる。
【図面の簡単な説明】
【０００８】
【図１】本発明による温水洗浄便座装置が便器に設置されている状態を示す側面図である。
【図２】図１に示す温水洗浄便座装置の平面図である。
【図３】図１に示す温水洗浄便座装置のケーシング内を示す部分平面図であり、脱臭機能部を表している。
【図４】図３に示すIV−IV線に沿った温水洗浄便座装置の断面図である。
【図５】図４に示すV−V線に沿った温水洗浄便座装置の断面図である。
【発明を実施するための形態】
【０００９】
以下、本発明による温水洗浄便座装置１の一実施形態について説明する。本明細書においては説明の便宜上、図１における上側および下側をそれぞれ温水洗浄便座装置１の上方および下方とし、同じく左側および右側をそれぞれ温水洗浄便座装置１の前方および後方とし、同じく紙面奥側および紙面手前側を、それぞれ温水洗浄便座装置１の左方および右方として説明する。また、図１乃至図５には、各方向を示す矢印を示している。
【００１０】
温水洗浄便座装置１は、図１に示すように腰掛式便器２（本発明における便器に相当）の便座設置面２ａに取り付けられている。腰掛式便器２は、便鉢部２ｂを有している。温水洗浄便座装置１は、本体部１０、便座２０および便蓋３０を備えている。本体部１０は、ケーシング１１、人体の局部を洗浄する洗浄機能部１２、脱臭機能部１３（４０）および温水洗浄便座装置１を統括制御する制御部（図示なし）を備えている（図２参照）。
【００１１】
ケーシング１１は、中空の箱状に形成されている。ケーシング１１は、例えばポリプロピレン等の樹脂材料が用いられ、射出成型によって形成されている。ケーシング１１は、底面の前方の一部を、便鉢部２ｂ内に対向させるように、腰掛式便器２に取り付けられている（図１及び図４参照）。また、ケーシング１１は、便座２０および便蓋３０を回動可能に保持する。ケーシング１１は、洗浄機能部１２、脱臭機能部１３、および制御部が収納されている。本実施形態において、洗浄機能部１２がケーシング１１内の左右方向における中央部に、脱臭機能部１３がケーシング１１内の右側にそれぞれ配設されている（図２参照）。
【００１２】
ケーシング１１は、第一ケーシング１１ａおよび第二ケーシング１１ｂを備えている（図２乃至図５参照）。第一ケーシング１１ａは、本体部１０の上方を覆うとともに、底部を開放する箱状に形成されている。第二ケーシング１１ｂは、ケーシング１１の底部を形成する。第二ケーシング１１ｂは、第一ケーシング１１ａの底部を塞ぐ底壁１１ｂ１および底壁１１ｂ１の周縁に全周に亘って形成された周側壁１１ｂ２を備えている（図３乃至図５参照）。第二ケーシング１１ｂの周側壁１１ｂ２の外面と第一ケーシング１１ａの下端部の内面とが全周に亘って接触するように、第一ケーシング１１ａが第二ケーシング１１ｂに例えばスナップフィットやネジ締めによって取り付けられる。
【００１３】
また、第二ケーシング１１ｂの底壁１１ｂ１には、ケーシング１１内と便鉢部２ｂ内とを連通するように、便鉢部２ｂ内に向けて開口する開口部１１ｂ３が形成されている（図３および図４参照）。開口部１１ｂ３は、スリット状に形成された複数の貫通穴である。
【００１４】
脱臭機能部４０は、便鉢部２ｂ内の空気の臭気を除去するものである。脱臭機能部４０は、図３乃至図５に示すように、脱臭ダクト４１（本発明の第二ダクト部に相当）、フィルタ４２、吸入ファン４３および脱臭部４４を備えている。
【００１５】
脱臭ダクト４１は、両端をそれぞれ開口する断面矩形状の管状に形成され、便鉢部２ｂ内の空気を流通させるものである。脱臭ダクト４１は、下方を開放する断面Ｕ字形状の第一脱臭ダクト４１ａと、上方を開放する断面Ｕ字形状の第二脱臭ダクト４１ｂとを組み合わせることにより形成されている（図５参照）。第一脱臭ダクト４１ａの下端部と第二脱臭ダクト４１ｂの上端部とが気密に接触するように形成されている。また、第一脱臭ダクト４１ａと第二脱臭ダクト４１ｂとは、例えばスナップフィットによって組み付けられている。
【００１６】
第一脱臭ダクト４１ａは、例えばポリプロピレン等の樹脂材料が用いられ、射出成型によって形成されている。また、第二脱臭ダクト４１ｂは、図４および図５に示すように、第二ケーシング１１ｂに一体に形成されている。具体的には、第二脱臭ダクト４１ｂの底部４１ｂ１は、第二ケーシング１１ｂの底壁１１ｂ１に一体に形成されている。また、第二脱臭ダクト４１ｂの両側壁４１ｂ２は、底壁１１ｂ１から上方に向けて突出して、前後方向に延びるように形成されている。
【００１７】
脱臭ダクト４１の一端（前方の端部）には、ケーシング１１内に向けて開口する吸気部４１ｃが形成されている。吸気部４１ｃは、便鉢部２ｂ内の空気を吸入するものである。吸気部４１ｃは、第一脱臭ダクト４１ａおよび第二脱臭ダクト４１ｂによって断面矩形状に形成されている（図５参照）。
【００１８】
脱臭ダクト４１の他端（後方の端部）には、ケーシング１１の外部に向けて開口する排気部４１ｄが形成されている（図３および図４参照）。排気部４１ｄは、臭気が除去された便鉢部２ｂ内の空気をケーシング１１の外部に排出するものである。排気部４１ｄは、第二脱臭ダクト４１ｂ（第二ケーシング１１ｂ）にスリット状に形成された複数の貫通穴である。脱臭ダクト４１には、フィルタ４２、吸入ファン４３および脱臭部４４が配設されている。
【００１９】
フィルタ４２は、吸気部４１ｃに吸入される空気中の埃等の異物を除去するものである。フィルタ４２は、図４に示すように、網状のメッシュ部４２ａおよびメッシュ部４２ａを保持する枠部４２ｂを備えている。枠部４２ｂは、断面矩形状の枠状に形成され、枠内にメッシュ部４２ａを保持する。フィルタ４２は、吸気部４１ｃに吸入される空気がメッシュ部４２ａを通過するように配設されている。具体的には、枠部４２ｂの外表面と吸気部４１ｃの前端部内側面とが気密に接触するように、フィルタ４２が吸気部４１ｃに取り付けられている。
【００２０】
また、フィルタ４２は、脱臭ダクト４１に対して着脱可能に取り付けられている。具体的には、枠部４２ｂの下端部が、第二脱臭ダクト４１ｂの底部４１ｂ１に上方に向かって窪むように設けられた凹部４１ｂ３に形成された上下方向に貫通する取付穴４１ｂ４に、例えば圧入されることにより固定されている。さらに、フィルタ４２は、枠部４２ｂの下端部が、凹部４１ｂ３内に位置するように取付穴４１ｂ４に固定されている。これにより、使用者は、枠部４２ｂの下端部を例えば指先や工具等によって挟持して、フィルタ４２を下方に引っ張ることによって、フィルタ４２を取付穴４１ｂ４から取り外すことができる。なお、フィルタ４２の取り外しは、温水洗浄便座装置１を腰掛式便器２から取り外した状態にて行うことができる。一方、フィルタ４２が取付穴４１ｂ４に上方に向けて挿入されることにより、フィルタ４２が取付穴４１ｂ４に取り付けられる。
【００２１】
吸入ファン４３は、吸気部４１ｃから脱臭機能部４０（脱臭ダクト４１）内に便鉢部２ｂ内の空気を吸入するものである。本実施形態において、吸入ファン４３は、軸流ファンであり、外形を直方体状に形成されている。吸入ファン４３は、前方から便鉢部２ｂ内の空気を吸入し、後方へ便鉢部２ｂ内の空気を送出する。吸入ファン４３は、脱臭ダクト４１の内面に吸入ファン４３の外形が例えば圧入されることにより気密に取り付けられている。また、吸入ファン４３は、制御部と電気的に接続され、制御部から送信される制御信号によって駆動する。
【００２２】
脱臭部４４は、吸気部４１ｃから吸入された便鉢部２ｂ内の空気における臭気を除去するものである。脱臭部４４は、臭気を吸着する脱臭触媒によって形成されている。脱臭触媒は、二酸化マンガンや活性炭等である。脱臭部４４は、例えば押出成形を用いて形成されている。脱臭部４４は、直方体状に形成され、前端面４４ａおよび後端面４４ｂに開口して、便鉢部２ｂ内の空気を前後方向に流通させるハニカム形状の複数の通気路（図示なし）を有している。便鉢部２ｂの空気がこの通気路を通過するときに、脱臭部４４に便鉢部２ｂの空気に含まれる臭気が吸着することにより、便鉢部２ｂの空気が脱臭される。脱臭部４４は、比較的長期間（例えば８年）に亘って便鉢部２ｂの空気を脱臭する脱臭性能を確保するように、臭気を吸着させる通気路の表面積が確保されている。
【００２３】
また、脱臭部４４は、図４および図５に示すように、前端面４４ａの周縁と後端面４４ｂの周縁とを接続する周側面４４ｃを有している。本実施形態において、脱臭部４４は、脱臭ダクト４１の内面に対して気密性を有するように取り付けられている。具体的には、脱臭機能部４０がさらに備えるシート４５が、脱臭部４４の周側面４４ｃと脱臭ダクト４１の内面との間に挟持されている。シート４５は、発泡ウレタンやポリエチレン等のシートであり、両面テープまたは粘着剤によって脱臭部４４の周側面４４ｃに接着されている。なお、脱臭部４４の周側面４４ｃと脱臭ダクト４１の内面とが気密性を有する部位は、脱臭部４４の周側面４４ｃの全面に設けずに、周側面４４ｃの前後方向の一部に周側面４４ｃに周方向に沿って環状に設けられている。本実施形態においては、脱臭部４４の前端部および後端部に気密性を有する部位が形成されている。
【００２４】
また、本体部１０は、吸気ダクト５０（本発明の第一ダクト部に相当）をさらに備えている。
吸気ダクト５０は、管状に形成され、開口部１１ｂ３と吸気部４１ｃとを接続し、便鉢部２ｂ内の空気を流通させるものである。吸気ダクト５０は、図３および図４に示すように、下壁５１、上壁５２および側壁５３によって形成されている。
【００２５】
また、吸気ダクト５０は、ケーシング１１に一体に形成されている。具体的には、下壁
５１は、第二ケーシング１１ｂの底壁１１ｂ１によって形成されている。本実施形態においては、底壁１１ｂ１における前方右側端部が下壁５１に相当する。
上壁５２は、第一ケーシング１１ａにおける底壁１１ｂ１に対向する天壁１１ａ１によって形成されている。上壁５２は、具体的には、図４に示すように、天壁１１ａ１における下壁５１に対向する部位に相当する。なお、上壁５２を形成する天壁１１ａ１の部位は、第一ケーシング１１ａの前方にて便座２０に対向し、便座２０の形状に沿って傾斜するように形成されている。
【００２６】
側壁５３は、底壁１１ｂ１から上方に向かって突出するように形成されている。側壁５３の上端と上壁５２との間には、隙間Ｇが形成されている（図４参照）。隙間Ｇの大きさは、隙間Ｇにおける空気の流路抵抗が、開口部１１ｂ３における空気の流路抵抗より大きくなるように設定されている。
【００２７】
側壁５３は、図３および図４に示すように、左側壁５３ａ、前側壁５３ｂ、右側壁５３ｃおよび後側壁５３ｄを備えている。本実施形態において、左側壁５３ａは、底壁１１ｂ１から上方に向けて突出し、第二ケーシング１１ｂの周側壁１１ｂ２の前側部（左側壁５３ａ）から脱臭機能部４０の吸気部４１ｃまで延びるように形成されている。また、左側壁５３ａは、例えば洗浄機能部１２と干渉しないように、複数回折り曲げられて形成されている。
前側壁５３ｂおよび右側壁５３ｃは、第二ケーシング１１ｂの周側壁１１ｂ２に形成されている。具体的には、前側壁５３ｂは、周側壁１１ｂ２の前側部の右方に形成されている。また、右側壁５３ｃは、周側壁１１ｂ２の右側部の前方に形成され、一端が前側壁５３ｂに接続する。
後側壁５３ｄは、底壁１１ｂ１から上方に向けて突出し、右側壁５３ｃから脱臭機能部４０の吸気部４１ｃまで延びるように形成されている。
【００２８】
また、側壁５３は、開口部１１ｂ３を囲むように形成されている。また、側壁５３は、左側壁５３ａの右端部と後側壁５３ｄの左端部との間に吸気部４１ｃが位置するように形成されている。このように、吸気ダクト５０は、開口部１１ｂ３と吸気部４１ｃとの間に空気を流通させる流路を形成する。
【００２９】
次に、上述した温水洗浄便座装置１の脱臭機能部４０による便鉢部２ｂ内の空気の臭気を除去する脱臭の動作について説明する。なお、図３および図４において、便鉢部２ｂ内の空気の流れを矢印Ｆにて示している。
制御部は、例えば、使用者が便座２０に着座したことを検知する着座センサ（例えば赤外線センサ；図示なし）の検知信号によって、脱臭機能部４０による脱臭を開始する。具体的には、制御部は、吸入ファン４３の駆動を開始する。
【００３０】
吸入ファン４３が駆動することにより、吸気部４１ｃから空気が吸入される。吸気部４１ｃと開口部１１ｂ３とは、上述したように、吸気ダクト５０によって空気を流通させるように接続されている。よって、吸入ファン４３が駆動することにより、便鉢部２ｂ内の空気が、開口部１１ｂ３から吸気ダクト５０内に吸入される。なお、このとき、隙間Ｇからもケーシング１１内の空気が吸気ダクト５０に吸入されるが、隙間Ｇの流路抵抗が開口部１１ｂ３の流路抵抗より大きいため、隙間Ｇからの空気に比べて、開口部１１ｂ３からの空気が吸気ダクト５０に多く吸入される。
【００３１】
開口部１１ｂ３から吸入された便鉢部２ｂ内の空気は、吸気ダクト５０内を流通し、吸気部４１ｃに吸入される。吸気部４１ｃに吸入された便鉢部２ｂ内の空気は、フィルタ４２を通過することにより便鉢部２ｂ内の空気に含まれる埃等の異物が除去されて、脱臭ダクト４１内を流通して、脱臭部４４に吸入される。脱臭部４４に吸入された便鉢部２ｂ内の空気は、便鉢部２ｂ内の空気における臭気が脱臭部４４に吸着されることにより除去されて、脱臭部４４を通過する。臭気が除去された便鉢部２ｂ内の空気は、脱臭ダクト４１内を流通して、吸入ファン４３に吸入される。そして、便鉢部２ｂ内の空気は、吸入ファン４３によって送出されることにより、脱臭ダクト４１内を流通して、排気部４１ｄからケーシング１１の外部へ排出される。
【００３２】
制御部は、例えば、着座センサによって使用者が便座２０から立ち上がったことを検出した場合、脱臭機能部４０による脱臭を停止する。具体的には、制御部は、吸入ファン４３の駆動を停止する。これにより、便鉢部２ｂ内の空気のケーシング１１内への吸入が停止する。
【００３３】
本実施形態によれば、温水洗浄便座装置１は、便鉢部２ｂを有する腰掛式便器２に取り付けられ、便座２０を保持するとともに、人体の局部を洗浄する洗浄機能部１２および便鉢部２ｂ内の空気の臭気を除去する脱臭機能部４０を収納するケーシング１１を備えている。脱臭機能部４０は、便鉢部２ｂ内の空気を吸入する吸気部４１ｃと、吸気部４１ｃから脱臭機能部４０内（脱臭ダクト４１内）に便鉢部２ｂ内の空気を吸入する吸入ファン４３と、吸気部４１ｃから吸入された便鉢部２ｂ内の空気における臭気を除去する脱臭部４４と、を備え、ケーシング１１は、ケーシング１１内と便鉢部２ｂ内とを連通するように便鉢部２ｂ内に向けて開口し、便鉢部２ｂ内の空気をケーシング１１内に吸入する開口部１１ｂ３と、ケーシング１１に一体に形成され、開口部１１ｂ３と吸気部４１ｃとを接続し、便鉢部２ｂ内の空気を流通させる管状の吸気ダクト５０と、を備えている。
これによれば、ケーシング１１に一体に形成されている吸気ダクト５０が、便鉢部２ｂ内の空気を開口部１１ｂ３と吸気部４１ｃとの間に流通させる。よって、従来技術のように、開口部１１ｂ３と吸気部４１ｃとの間のダクト部をケーシング１１とは別の部材によって構成する場合に比べて、部品点数を少なくすることができる。よって、従来技術の温水洗浄便座装置に比べて、部品点数を少なくすることができるため、温水洗浄便座装置１の低コストを図ることができる。
そして、便鉢部２ｂ内の空気を流通させる流路を開口部１１ｂ３と吸気部４１ｃとの間に形成する吸気ダクト５０が、脱臭ダクト４１ではなく、ケーシング１１によって構成されている。よって、従来技術の温水洗浄便座装置におけるダクト部材に比べて、脱臭ダクト４１の小型化を図ることができる。したがって、脱臭機能部４０のケーシング１１内におけるレイアウトの自由度を向上させることができるとともに、脱臭機能部４０ひいては温水洗浄便座装置１の小型化を図ることができる。
【００３４】
また、ケーシング１１は、上方を覆うとともに底部を開放する第一ケーシング１１ａ、および、第一ケーシング１１ａの底部を塞ぐ底壁１１ｂ１を有するように形成された第二ケーシング１１ｂを備え、吸気ダクト５０は、第二ケーシング１１ｂの底壁１１ｂ１、第一ケーシング１１ａにおける底壁１１ｂ１に対向する天壁１１ａ１、並びに、第二ケーシング１１ｂに形成された側壁５３によって形成されている。
これによれば、吸気ダクト５０を比較的簡便に形成することができる。
【００３５】
また、脱臭機能部４０は、脱臭部４４によって臭気が除去された便鉢部２ｂ内の空気を排出する排気部４１ｄ、および吸気部４１ｃが形成され、吸入ファン４３および脱臭部４４を収納するとともに、便鉢部２ｂ内の空気を流通させる管状の脱臭ダクト４１と、をさらに備え、脱臭部４４は、臭気を吸着する脱臭触媒によって形成され、脱臭ダクト４１の内面に対して気密性を有するように取り付けられている。
これによれば、臭気を吸着する脱臭触媒によって脱臭部４４が構成されているため、従来技術のように、脱臭触媒を保護する部材を備えている場合に比べて、脱臭部４４ひいては脱臭ダクト４１の小型化を図ることができる。したがって、脱臭機能部４０のケーシング１１内におけるレイアウトの自由度をさらに向上させることができるとともに、脱臭機能部４０ひいては温水洗浄便座装置１の小型化をさらに図ることができる。
【００３６】
なお、上述した実施形態において、温水洗浄便座装置の一例を示したが、本発明はこれに限定されず、他の構成を採用することもできる。例えば、上述した実施形態において、側壁５３は、第二ケーシング１１ｂに形成されているが、これに代えて、第一ケーシング１１ａに形成するようにしても良い。この場合、吸気ダクト５０は、第二ケーシング１１ｂの底壁１１ｂ１、第一ケーシング１１ａにおける底壁１１ｂ１に対向する天壁１１ａ１、並びに、第一ケーシング１１ａに形成された側壁５３によって形成されている。このように、吸気ダクト５０は、第二ケーシング１１ｂの底壁１１ｂ１、第一ケーシング１１ａにおける底壁１１ｂ１に対向する天壁１１ａ１、並びに、第一ケーシング１１ａおよび第二ケーシング１１ｂの一方に形成された側壁５３によって形成されている。
【００３７】
また、上述した実施形態において、脱臭機能部４０は、シート４５を備えているが、これに代えて、シート４５を備えないようにしても良い。この場合、脱臭部４４の周側面４４ｃが、脱臭ダクト４１の内面と気密に接触するように、脱臭ダクト４１を形成する。
また、上述した実施形態において、脱臭機能部４０は、フィルタ４２を備えているが、これに代えて、フィルタ４２を備えないようにしても良い。
【００３８】
また、上述した実施形態において、脱臭ダクト４１には、吸気部４１ｃから排気部４１ｄに向かって順に、フィルタ４２、脱臭部４４および吸入ファン４３が配設されている。これに代えて、脱臭ダクト４１に、吸気部４１ｃから排気部４１ｄに向かって順に、フィルタ４２、吸入ファン４３および脱臭部４４を配設しても良い。
また、本発明の要旨を逸脱しない範囲において、脱臭ダクト４１または吸気ダクト５０の形状や脱臭部４４の個数等を変更しても良い。
【符号の説明】
【００３９】
１…温水洗浄便座装置、２…腰掛式便器（便器）、２ｂ…便鉢部、１０…本体部、１１…ケーシング、１１ａ…第一ケーシング、１１ａ１…天壁、１１ｂ…第二ケーシング、１１ｂ１…底壁、１１ｂ２…周側壁、１１ｂ３…開口部、１２…洗浄機能部、１３（４０）…脱臭機能部、２０…便座、４１…脱臭ダクト（第二ダクト部）、４１ｃ…吸気部、４１ｄ…排気部、４２…フィルタ、４３…吸入ファン、４４…脱臭部、５０…吸気ダクト（第一ダクト部）。
【図１】
2016148187.tif 000003
【図２】
2016148187.tif 000004
【図３】
2016148187.tif 000005
【図４】
2016148187.tif 000006
【図５】
2016148187.tif 000007